(57)【特許請求の範囲】
【請求項１】
屈曲部を有するワイパーアームに係合して該ワイパーアームに固定される係合部と、前記ワイパーアームの浮き上がりを防止するためのフィンが取り付けられるフィン取付部とを有し、
前記係合部は、互いに平行な上面部および下面部と、前記屈曲部に当接すべく屈曲され前記上面部と前記下面部とを連結する連結面部とを有し、前記連結面部が前記屈曲部に当接されて位置決めされつつ前記上面部と前記下面部とで前記ワイパーアームを挟持するように前記ワイパーアームに係合されて該ワイパーアームに固定されることを特徴とするフィン取付用アダプター。
【請求項２】
前記フィン取付部は、前記係合部に対して角度調整可能に設けられていることを特徴とする請求項１に記載のフィン取付用アダプター。
【発明の詳細な説明】
【０００１】
【発明の属する技術分野】
本発明は、ワイパーアームに特別な加工を施すことなくフィンの取付けを可能とするフィン取付用アダプターに関する。
【０００２】
【従来の技術】
自動車等が高速走行する際にワイパーアームの浮き上がりを防止するために、ワイパーアームにフィンが取り付けられることがある。従来、このフィンの取付けは、例えば実開昭５８−１２６５５６号に記載されているように、ワイパーアームに挿通穴を設けてこれにネジを挿通させ、このネジによりフィンをネジ止めすることによって行われていた。
【０００３】
【発明が解決しようとする課題】
しかしながら、このように穴あけ加工を行う従来の方法ではフィンの取付けに工数がかかり、挿通穴の穿設箇所にタッチアップを施してもその箇所が錆び易くなるという問題があった。
【０００４】
また、ワイパーアームそのものに加工を加えるため、自動車の所有者等が一旦取り付けたフィンを取り外したくなったときにはワイパーアームにその跡が残ることとなり、フィン自体は雨天時の視界の一層の確保に役立つものであっても、その取付けに上記所有者等が消極的になることもあった。
【０００５】
本発明は、上記の事情に鑑みて為されたもので、ワイパーアームへのフィンの取付けを簡易に行うことを可能とし、フィンの取付けに伴うワイパーアームの錆の発生を防止することができるとともに、その取付けの痕跡をワイパーアームに残さないフィン取付用アダプターを提供することを課題としている。
【０００６】
【課題を解決するための手段】
上記課題を解決するため、請求項１に係る発明は、屈曲部を有するワイパーアームに係合して該ワイパーアームに固定される係合部と、前記ワイパーアームの浮き上がりを防止するためのフィンが取り付けられるフィン取付部とを有し、前記係合部は、互いに平行な上面部および下面部と、前記屈曲部に当接すべく屈曲され前記上面部と前記下面部とを連結する連結面部とを有し、前記連結面部が前記屈曲部に当接されて位置決めされつつ前記上面部と前記下面部とで前記ワイパーアームを挟持するように前記ワイパーアームに係合されて該ワイパーアームに固定されることを特徴とする。
【０００７】
請求項１に係る発明によれば、ワイパーアームに係合してワイパーアームに固定される係合部と、フィンが取り付けられるフィン取付部とをフィン取付用アダプターが有するので、フィンを直接ワイパーアームに取り付けず、そのフィン取付用アダプターを介して取り付けることができる。この際、係合部が単純な係合でワイパーアームに固定されるので、ワイパーアームに対する穴あけ加工が不要となり、ワイパーアームへのフィンの取付けを簡易化することができるとともに、フィンの取付けに伴うワイパーアームの錆やその取付けの残痕を防止することができる。
また、連結面部が屈曲部に当接されて位置決めされつつ上面部と下面部とでワイパーアームを挟持するようにワイパーアームに係合されてワイパーアームに固定されているので、フィン取付用アダプターのワイパーアームに対する抜け止めをなすことができる。
【０００８】
請求項２に係る発明は、請求項１に記載のフィン取付用アダプターにおいて、前記フィン取付部が前記係合部に対して角度調整可能に設けられていることを特徴とする。
【０００９】
請求項２に係る発明によれば、フィン取付部が係合部に対して角度調整可能に設けられているので、フィンのワイパーアームに対する取付角度を容易に調整することができ、フィン取付用アダプターを種々の車種等に用いることができる。
【００１０】
【発明の実施の形態】
本発明の実施の形態を図面に基づいて説明する。
【００１１】
図１乃至図５は、本発明に係るフィン取付用アダプターを示す。このフィン取付用アダプター１は、互いに略平行な上面部２及び下面部３と、これらの前縁部２ａ，３ａを連結する連結面部４とを有し、断面コ字状を呈している。また、下面部３には当接片部５が一体形成され、その上面部２、下面部３及び連結面部４により係合部６が構成され、下面部３及び当接片部５によりフィン取付部７が構成されている。
【００１２】
連結面部４は折曲部４ａにおいて折り曲げられ、ここでは説明の便宜上その折曲部４ａを境に連結面部４を第一連結面部８と第二連結面部９とに分ける。上面部２及び下面部３は、その連結面部４の折曲に合わせて屈曲した形状を有し、このような屈曲形状に加工するために上面部２及び下面部３にはそれぞれスリット２ｃ及びスリット３ｃが形成されている。
【００１３】
上面部２の後縁側には、第一連結面部８に対応する位置に挿通穴１０が、第二連結面部９に対応する位置に挿通穴１１が穿設されている。上面部２の前縁側で第一連結面部８に対応する位置には、最深部が半円弧状に形成された溝状の開口１２が設けられている。
【００１４】
下面部３の後縁側には、挿通穴１０，１１に対向する位置がバーリング加工されることによりネジ穴１３，１４が形成されている。また、下面部３には下方に凸となるように当接部１５が形成され、当接部１５には開口１２と対向するように溝状の開口１６が設けられている。この開口１６は、その最深部が開口１２の最深部よりも小径の半円弧状に形成され、係合部６を平面視した際に開口１６が開口１２を通じて見えるようになっている（図１参照）。
【００１５】
当接片部５は、下面部３の第二連結面部９側の側縁から下方に向けて延設されている。この当接片部５の下面５ａと当接部１５の下面１５ａとは同一平面内にあり、上面部２に対して若干傾斜している。当接片部５には、その下面５ａを貫通するように挿通穴１７が形成されている。
【００１６】
このフィン取付用アダプター１を用いてワイパーアームにフィンを取り付けるには、まず、フィン取付用アダプター１の下面部３及び当接片部５にフィンをネジ止めする。図６及び図７に示すように、そのフィン１８は、後上がりに傾斜するフィン本体１９と、フィン本体１９の裏面１９ａ側に設けられた取付部２０とを有し、この取付部２０にはネジ穴２１，２２が設けられている。その取付部２０の上面２０ａに当接片部５の下面５ａ及び当接部１５の下面１５ａを当接させ、ネジ穴２１に挿通穴１７を、ネジ穴２２に開口１６を重ね合わせた状態でネジ２３をネジ穴２１，２２に螺合させることによって、フィン取付用アダプター１にフィン１８が取り付けられる。ここで、開口１６は開口１２を通じて上方から見ることができるので、開口１６にネジ２３を挿通させる際に上面部２は邪魔にならず、ネジ止めされたネジ２３の頭部２３ａは図８及び図９に拡大して示すように下面部３の内面３ｂが含まれる基準面Ｓよりも上方に突出しない。
【００１７】
つぎに、そのフィン１８が取り付けられたフィン取付用アダプター１を、図１０に示すような屈曲部２４ａを有するワイパーアーム２４に取り付ける。詳細には、上面部２と下面部３とがワイパーアーム２４を上下から挟持するように、かつ、連結面部４の折曲部４ａが屈曲部２４ａに接して位置決めされるように係合部６をワイパーアーム２４に前方から係合させ（図１０（ａ））、ワイパーアーム２４の前面２５，２６（図１０（ａ）において、ワイパーアーム２４の屈曲部２４ａを境に左側の部分の前面に符号２５を、右側の部分の前面に符号２６を付す。）に第一連結面部８、第二連結面部９の内面８ａ，９ａ（図２参照）を当接させた状態で、ワッシャースプリング２７が付いたネジ２８を挿通穴１０，１１に挿通させネジ穴１３，１４に螺合させる（図１０（ｂ））。これにより、フィン取付用アダプター１がワイパーアーム２４に固定されてフィン１８がワイパーアーム２４に取り付けられるが（図１０（ｃ））、このときネジ２８はワイパーアーム２４の後面２９，３０（後面２９，３０はそれぞれ前面２５，２６に対応する。）に近接あるいは接触し、フィン取付用アダプター１のワイパーアーム２４に対する抜け止めがなされる。
【００１８】
このフィン取付用アダプター１では、ワイパーアーム２４に係合して固定される係合部６と、フィン１８が取り付けられるフィン取付部７とが設けられているので、フィン１８を直接ワイパーアーム２４に取り付けず、そのフィン取付用アダプター１を介して取り付けることができる。この際、係合部６が単純な係合（この実施の形態では、「係合」とは係合部６がワイパーアーム２４に嵌合されること、あるいは、その嵌合後さらにネジ止めすることをいうものとするが、例えば係合部がワイパーアーム２４にアタッチメント式に取り付けられる場合や貼着される場合であっても、本願にいう「係合」に含まれるものとする。）でワイパーアーム２４に固定されるので、ワイパーアーム２４に対する穴あけ加工が不要となり、ワイパーアーム２４へのフィン１８の取付けを簡易化することができるとともに、フィン１８の取付けに伴うワイパーアーム２４の錆やその取付けの残痕を防止することができる。
【００１９】
図１１は、本発明に係る他のフィン取付用アダプターを示す分解斜視図である。このフィン取付用アダプター３１は、係合部３２とフィン取付部３３とを別体で有する。
【００２０】
係合部３２は互いに平行な上面部３４及び下面部３５と、これらの前縁部を連結する連結面部３６とにより構成されている。連結面部３６は折曲部３６ａにおいて折り曲げられ、この折曲部３６ａを境に連結面部３６を第一連結面部３７と第二連結面部３８とに分けると、その第一連結面部３７には挿通穴３９，４０が設けられている。
【００２１】
上面部３４の後縁側には、挿通穴４１，４２が穿設されている。下面部３５の後縁側には、その挿通穴４１，４２に対向する位置がバーリング加工されることによりネジ穴４３，４４が形成されている。下面部３５の左右両端部はくびれた形状を有し、係合部３２の下方で、かつ、連結面部３６の内面３６ｂ（図１２参照）側から挿通穴３９，４０にアクセスすることができるようになっている。
【００２２】
フィン取付部３３は当接部４５，４６と、これらを連結する連結部４７とにより構成されている。当接部４５，４６にはそれぞれ挿通穴４８，４９が形成され、その当接部４５の下面４５ａと当接部４６の下面４６ａとは同一平面内にある。当接部４５の前縁には当接部４５に対して起立する起立片５０が設けられ、連結部４７の前縁には連結部４７に対して起立する起立片５１が設けられ、起立片５０には挿通穴５２が、起立片５１には縦方向にのびる長穴５３がそれぞれ設けられている。挿通穴５２は挿通穴３９の前方に重ねられてこれらにリベット５４が挿通されてかしめられ、長穴５３は挿通穴４０の前方に重ねられてこれらにスプリングワッシャー５５が付いたネジ５６が挿通され、このネジ５６には後方からナット５７が締結される（図１３）。
【００２３】
このフィン取付用アダプター３１を用いて上記ワイパーアーム２４にフィン１８を取り付けるには、まず、取付部２０の上面２０ａに当接部４５，４６の下面４５ａ，４６ａを当接させ、ネジ穴２１に挿通穴４８を、ネジ穴２２に挿通穴４９を重ね合わせた状態でネジ２３をネジ穴２１，２２に螺合させ、フィン取付用アダプター３１にフィン１８を取り付ける。
【００２４】
つぎに、上面部３４と下面部３５とがワイパーアーム２４を上下から挟持するように、かつ、連結面部３６の折曲部３６ａが屈曲部２４ａに接して位置決めされるように係合部３２をワイパーアーム２４に前方から係合させる。そして、ワイパーアーム２４の前面２５，２６に第一連結面部３７、第二連結面部３８の各内面をそれぞれ当接させた状態で、ワッシャースプリング２７付きのネジ２８を挿通穴４１，４２に挿通させてネジ穴４３，４４に螺合させ、これによりフィン取付用アダプター３１がワイパーアーム２４に固定されてフィン１８がワイパーアーム２４に取り付けられる。
【００２５】
続いて、ネジ５６とナット５７とを緩めた状態で、第一連結面部３７の外面３７ａと起立片５０，５１の後面５０ａ，５１ａとを摺接させながらフィン取付部３３を係合部３２に対してリベット５４を支点として回動させ、ワイパーアーム２４に対するフィン１８の取付角度を調整した上でネジ５６とナット５７とを締め付ける。なお、このネジ５６とナット５７との締付けは上記のように下面部３５がくびれているので容易に行うことができ、このことはリベット５４をかしめる際にも同様である。
【００２６】
このフィン取付用アダプター３１では、フィン取付部３３が係合部３２に対して角度調整可能に設けられているので、上記のようにフィン１８のワイパーアーム２４に対する取付角度を容易に調整することができ、フィン取付用アダプターを様々な車種に柔軟に対応させることができる。
【００２７】
【発明の効果】
以上説明したように、請求項１に係る発明によれば、ワイパーアームに係合してワイパーアームに固定される係合部と、フィンが取り付けられるフィン取付部とをフィン取付用アダプターが有するので、フィンを直接ワイパーアームに取り付けず、そのフィン取付用アダプターを介して取り付けることができる。この際、係合部が単純な係合でワイパーアームに固定されるので、ワイパーアームに対する穴あけ加工が不要となり、ワイパーアームへのフィンの取付けを簡易化することができるとともに、フィンの取付けに伴うワイパーアームの錆やその取付けの残痕を防止することができる。
また、請求項１に係る発明によれば、連結面部が屈曲部に当接されて位置決めされつつ上面部と下面部とでワイパーアームを挟持するようにワイパーアームに係合されてワイパーアームに固定されているので、フィン取付用アダプターのワイパーアームに対する抜け止めをなすことができる。
【００２８】
また、請求項２に係る発明によれば、フィン取付部が係合部に対して角度調整可能に設けられているので、フィンのワイパーアームに対する取付角度を容易に調整することができ、フィン取付用アダプターを種々の車種等に用いることができる。
【図面の簡単な説明】
【図１】本発明に係るフィン取付用アダプターを示す平面図である。
【図２】図１のフィン取付用アダプターを示す背面図である。
【図３】図１のフィン取付用アダプターを示す底面図である。
【図４】図１のＡ−Ａ線に沿った断面図である。
【図５】図２のＢ−Ｂ線に沿った断面図である。
【図６】図１乃至図５のフィン取付用アダプターにフィンが取り付けられた状態を示す平面図である。
【図７】図１乃至図５のフィン取付用アダプターにフィンが取り付けられた状態を示す背面図である。
【図８】図６のＣ−Ｃ線に沿った拡大断面図である。
【図９】図７のＤ−Ｄ線に沿った拡大断面図である。
【図１０】（ａ）は図６及び図７のフィンが取り付けられたフィン取付用アダプターをワイパーアームに嵌合する様子を、（ｂ）はその嵌合後ワッシャースプリング付きのネジを挿通させる様子を、（ｃ）はそのネジ止めによりフィンのワイパーアームに対する取付けが完了した様子を示す説明図である。
【図１１】本発明に係るフィン取付用アダプターの他の例を示す分解斜視図である。
【図１２】図１１のフィン取付用アダプターの係合部を示す側面図である。
【図１３】図１１のフィン取付用アダプターの係合部とフィン取付部とが組み合わせられた状態を示す斜視図である。
【符号の説明】
１，３１  フィン取付用アダプター
６，３２  係合部
７，３３  フィン取付部
１８  フィン
２４  ワイパーアーム
【図１】
0004042346.tif 000002
【図２】
0004042346.tif 000003
【図３】
0004042346.tif 000004
【図４】
0004042346.tif 000005
【図５】
0004042346.tif 000006
【図６】
0004042346.tif 000007
【図７】
0004042346.tif 000008
【図８】
0004042346.tif 000009
【図９】
0004042346.tif 000010
【図１０】
0004042346.tif 000011
【図１１】
0004042346.tif 000012
【図１２】
0004042346.tif 000013
【図１３】
0004042346.tif 000014